(57)【要約】【課題】組立式モップを提供する。【解決手段】本発明の組立式モップは、モップラックと、ハンドルと、モップヘッドと、集塵機と、蒸気集塵機とを備え、集塵機及び蒸気集塵機は電源にそれぞれ接続され、集塵機及び蒸気集塵機はモップラックにそれぞれ取り外し可能に装設され、モップラックにはチャンネルが開設され、チャンネルはモップヘッド及び集塵機或いは蒸気集塵機に連通される。上述の組立式モップは、集塵機及び蒸気集塵機がモップラックに取り外し可能に装設され、集塵機或いは蒸気集塵機がモップラック、ハンドル、及びモップヘッドと組み合わせて使用され、清掃効率が高まる。また、集塵機及び蒸気集塵機の取り外しが便利であり、取り外された後には単独で使用可能であるため、組立式モップの使用範囲が広がる。【選択図】図１
2017164420.tif 000002
【特許請求の範囲】
【請求項１】
モップラックと、ハンドルと、モップヘッドと、集塵機と、蒸気集塵機とを備え、前記集塵機及び前記蒸気集塵機は電源にそれぞれ接続され、前記集塵機及び前記蒸気集塵機は前記モップラックにそれぞれ取り外し可能に装設され、前記モップラックにはチャンネルが開設され、前記チャンネルは前記モップヘッド及び前記集塵機或いは前記蒸気集塵機に連通されることを特徴とする組立式モップ。
【請求項２】
前記チャンネルは集塵用チャンネル及び蒸気洗浄用チャンネルを備え、前記チャンネルは前記モップヘッドの方向に向けて延伸され、且つ前記モップヘッドの一端には対応する孔部が形成され、前記集塵用チャンネルは前記集塵機への連通に用いられ、前記蒸気洗浄用チャンネルは前記蒸気集塵機への連通に用いられることを特徴とする、請求項１に記載の組立式モップ。
【請求項３】
前記集塵機及び前記蒸気集塵機には前記蒸気洗浄用チャンネル及び前記集塵用チャンネルに適合する集塵機固定孔及び蒸気集塵機固定孔がそれぞれ設置されることを特徴とする、請求項２に記載の組立式モップ。
【請求項４】
前記集塵機は集塵機本体を備え、前記集塵機に接続される電源は電池セットであり、前記電池セットにより前記集塵機本体に対する給電が行われ、前記集塵機本体には集塵口が設置され、前記集塵口は前記チャンネルに連通されることを特徴とする、請求項１に記載の組立式モップ。
【請求項５】
前記蒸気集塵機は蒸気出口が設置される蒸気集塵機本体を備え、前記蒸気出口は前記チャンネルに連通されることを特徴とする、請求項１に記載の組立式モップ。
【請求項６】
前記集塵機及び前記蒸気集塵機には集塵機ハンドル及び蒸気集塵機ハンドルがそれぞれ設置されることを特徴とする、請求項１に記載の組立式モップ。
【請求項７】
前記モップヘッドは扁平状であり、前記モップヘッドには前記モップラックの下端に連結される回転接合部が設置されることを特徴とする、請求項１に記載の組立式モップ。
【請求項８】
前記モップラックには電気的接続口が設置され、前記電気的接続口は前記集塵機或いは蒸気集塵機に電気的に接続され、前記ハンドルには電源と前記集塵機或いは蒸気集塵機との断絶及び閉合の制御に用いられる開閉ボタンが設置されることを特徴とする、請求項１に記載の組立式モップ。
【請求項９】
コントロールパネル及びコントロールユニットを更に備え、前記コントロールパネルは前記ハンドルに設置され、前記コントロールパネルには入力装置が設置され、前記コントロールパネルは前記コントロールユニットに接続され、前記入力装置により前記コントロールユニットを経由して前記集塵機の吸収力或いは蒸気集塵機の空気量が制御されることを特徴とする、請求項８に記載の組立式モップ。
【発明の詳細な説明】
【技術分野】
【０００１】
本発明は、集塵及び蒸気を有する組立式モップに関する。
【背景技術】
【０００２】
集塵機及び蒸気モップを組み合わせて一体の機器とすることが現在では家庭用のよくある床清掃機器の組み合わせ形式の一つとなっている。集塵機は大きな埃やごみの清掃に用いられ、蒸気モップは集塵機では掃除するのが難しい粘着性の強い塵や油汚れを高温の蒸気により加熱した後に柄の底部に装設される布により拭き取る。この組み合わせ形式の長所は、使用者が清掃工具を交換する時間を節約できる点であり、ある工具では掃除できない汚れを別の清掃工具に切り換えることで掃除できるようになり、清掃面積が広いほど、この長所により節約できる時間がより有益になる。
【発明の概要】
【発明が解決しようとする課題】
【０００３】
しかしながら、一般的なこの種の装置は須らく集塵及び蒸気が一体となる設計となっている。即ち、集塵機及び蒸気集塵機はモップラックの外ケース内に内設されるため、分離できない。このため製品の重量が重くなり過ぎ、且つ清掃対象が床に限定され、卓上面や壁面、窓等は清掃できない。これらの清掃対象に対しては、使用者は他の清掃工具を使用するか、専用の部材を装設させて清掃を行うしかなく、また、これらの清掃が終わった後に元の床掃除用に戻すために部材を取り外さねばならず、多くの時間が費やされた。
【０００４】
そこで、本発明者は上記の欠点が改善可能と考え、鋭意検討を重ねた結果、合理的かつ効果的に課題を改善する本発明の提案に到った。
【０００５】
本発明は、このような従来の問題に鑑みてなされたものである。上記課題解決のため、本発明は、組立式モップを提供することを主目的とする。即ち、集塵機、蒸気集塵機及びモップの三者を簡単に組み合わせて使用できるようにし、使用範囲を広げて清掃効率を高める。
【課題を解決するための手段】
【０００６】
上述した課題を解決し、上記目的を達成するための本発明は、本発明に係る組立式モップは、モップラックと、ハンドルと、モップヘッドと、集塵機と、蒸気集塵機とを備え、前記集塵機及び前記蒸気集塵機は電源にそれぞれ接続され、前記集塵機及び前記蒸気集塵機は前記モップラックにそれぞれ取り外し可能に装設され、前記モップラックにはチャンネルが開設され、前記チャンネルは前記モップヘッド及び前記集塵機或いは前記蒸気集塵機に連通されることを特徴とする。
【０００７】
本発明の一つの好ましい 実施態様においては、チャンネルは集塵用チャンネル及び蒸気洗浄用チャンネルを備え、チャンネルは前記モップヘッドの方向に向けて延伸され、且つモップヘッドの一端には対応する孔部が形成され、集塵用チャンネルは集塵機への連通に用いられ、蒸気洗浄用チャンネルは蒸気集塵機への連通に用いられる。
【０００８】
本発明の一つの好ましい 実施態様においては、集塵機及び蒸気集塵機には蒸気洗浄用チャンネル及び集塵用チャンネルに適合する集塵機固定孔及び蒸気集塵機固定孔がそれぞれ設置される。
【０００９】
本発明の一つの好ましい 実施態様においては、集塵機は集塵機本体を備え、集塵機に接続される電源は電池セットであり、電池セットにより集塵機本体に対する給電が行われ、集塵機本体には集塵口が設置され、集塵口はチャンネルに連通される。
【００１０】
本発明の一つの好ましい 実施態様においては、蒸気集塵機は蒸気出口が設置される蒸気集塵機本体を備え、蒸気出口はチャンネルに連通される。
【００１１】
本発明の一つの好ましい 実施態様においては、集塵機及び蒸気集塵機には集塵機ハンドル及び蒸気集塵機ハンドルがそれぞれ設置される。
【００１２】
本発明の一つの好ましい 実施態様においては、モップヘッドは扁平状であり、モップヘッドにはモップラックの下端に連結される回転接合部が設置される。
【００１３】
本発明の一つの好ましい 実施態様においては、モップラックには電気的接続口が設置され、電気的接続口は集塵機或いは蒸気集塵機に電気的に接続され、ハンドルには電源と集塵機或いは蒸気集塵機との断絶及び閉合の制御に用いられる開閉ボタンが設置される。
【００１４】
本発明の一つの好ましい 実施態様においては、コントロールパネル及びコントロールユニットを更に備え、前記コントロールパネルはハンドルに設置され、コントロールパネルには入力装置が設置され、コントロールパネルはコントロールユニットに接続され、入力装置によりコントロールユニットを経由して集塵機の吸収力或いは蒸気集塵機の空気量が制御される。
【発明の効果】
【００１５】
上述の組立式モップは、集塵機及び蒸気集塵機がモップラックに取り外し可能に装設され、集塵機或いは蒸気集塵機はモップラック、ハンドル、及びモップヘッドに組み合わせられて使用され、清掃効率が高まる。また、集塵機及び蒸気集塵機は取り外しが便利であり、取り外された後には単独で使用可能であるため、組立式モップの使用範囲が広がる。
【図面の簡単な説明】
【００１６】
【図１】本発明の第１実施形態による組立式モップを示す外観斜視図である。
【図２】図１に示すＡ部分を示す拡大図である。
【図３】本発明に用いられる集塵機を示す概略図である。
【図４】本発明に用いられる蒸気洗浄機を示す概略図である。
【発明を実施するための形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１８】
（第１実施形態）
以下、本発明の組立式モップを図１〜４に基づいて説明する。組立式モップ１００はハンドル１１０と、モップラック１２０と、モップヘッド１３０と、集塵機１４０と、蒸気集塵機１５０とを備える。
【００１９】
ハンドル１１０は操作者が把持して組立式モップ１００を操作するために使用される。前記ハンドル１１０はプラスチック射出成形により成形される。本実施形態において、前記ハンドル１１０はプラスチック射出成形により成形される２つの半ケースが係合されて形成される。ハンドル１１０はモップラック１２０に直接連結されるか、連結ロッドが設置されてモップラック１２０に連結されてもよい。
【００２０】
モップラック１２０はハンドル１１０及びモップヘッド１３０に連結される。集塵機１４０及び蒸気集塵機１５０はモップラック１２０にそれぞれ取り外し可能に装設される。モップラック１２０と集塵機１４０或いは蒸気集塵機１５０との連結方式は多岐にわたる。例えば、モップラック１２０の成形時に一側に向けて湾曲されて集塵機１４０或いは蒸気集塵機１５０が収納される方式、もしくはモップラック１２０に固定インターフェースが設置され、集塵機１４０或いは蒸気集塵機１５０が固定される方式等がある。モップラック１２０にはチャンネルが開設され、チャンネルは集塵機１４０或いは蒸気集塵機１５０及びモップヘッド１３０に連通される。
【００２１】
図２は図１に示すＡ部分を示す拡大図である。本実施形態において、チャンネルは集塵用チャンネル１２１及び蒸気洗浄用チャンネル１２２を備える。集塵用チャンネル１１２は集塵機１４０及びモップヘッド１３０に連通され、蒸気洗浄用チャンネル１２２は蒸気集塵機１５０及びモップヘッド１３０に連通される。当然ながら、チャンネルは集塵機１４０及び蒸気集塵機１５０に均しく連結される共通の１つのチャンネルのみを備えてもよい。
【００２２】
また、集塵機１４０は集塵機本体１４３及び集塵口１４１を備え（図３及び図４参照）、集塵口１４１は集塵機本体１４３に連通され、集塵口１４１は集塵用チャンネル１２１に連通され、集塵口１４１の形状は集塵用チャンネル１２１の形状に適合される。集塵機１４０は電源に接続され、本実施形態における電源は電池セットであり、電池セットは集塵機本体１４３に内設され、電池セットにより集塵機１４０に電力が供給される。当然ながら、集塵機１４０は交流電源や外付けの電池等に接続されてもよい。集塵機１４０は操作者による把持及び操作に使用される集塵機ハンドル１４４を更に備える。集塵機１４０には集塵機固定孔１４２が更に設置され、集塵機固定孔１４２の形状は蒸気洗浄用チャンネル１２２の形状に適合され、集塵機固定孔１４２及び蒸気洗浄用チャンネル１２２は係合により連結される。モップラック１２０に集塵機１４０が装設される場合、蒸気洗浄用チャンネル１２２は固定集塵機１４０の作用を達成させる。
【００２３】
なお、蒸気集塵機１５０は蒸気出口１５１が設置される蒸気集塵機本体１５４を備える（図２及び図４参照）。蒸気出口１５１は蒸気洗浄用チャンネル１２２に連通され、蒸気出口１５１の形状は蒸気洗浄用チャンネル１２２の形状に適合される。蒸気集塵機１５０は電源に接続され、本実施方式では、蒸気集塵機１５０は交流電源に接続される。当然ながら、電池セット等の形式により蒸気集塵機１５０に電力が供給される。蒸気集塵機１５０は操作者による把持及び操作に使用される蒸気集塵機ハンドル１５３を更に備える。蒸気集塵機１５０には蒸気集塵機固定孔１５２が更に設置され、蒸気集塵機固定孔１５２の形状は集塵用チャンネル１２１の形状に適合され、蒸気集塵機固定孔１５２及び集塵用チャンネル１２１は係合により連結される。モップラック１２０に蒸気集塵機１５０が装設される場合、集塵用チャンネル１２１は蒸気集塵機１５０の作用を達成させる。
【００２４】
モップヘッド１３０は扁平状であり、モップヘッド１３０のモップラック１２０の下端に連結される回転接合部は、モップヘッド１３０の回転方向への回転に用いられる。モップヘッド１３０に連通される集塵用チャンネル１２１及び蒸気洗浄用チャンネル１２２はモップヘッド１３０の底端に対応する孔部が形成される。対応する孔部は集塵或いは蒸気による清掃に用いられる。
【００２５】
本実施形態において、モップラック１２０には集塵機１４０或いは蒸気集塵機１５０が単独で装設される。モップラック１２０には電気的接続口が内設され、電気的接続口は集塵機１４０或いは蒸気集塵機１５０に電気的に接続される。ハンドル１１０には電源と集塵機１４０或いは蒸気集塵機１５０との断絶及び閉合の制御に使用される開閉ボタンが設置される。組立式モップ１００による清掃が困難な場所では、集塵機１４０或いは蒸気集塵機１５０が組立式モップ１００から取り外され、対応する部材が組み合わせられて清掃を行う。こうすれば、組立式モップ１００の使用範囲が拡大される。
【００２６】
組立式モップ１００はコントロールパネル及びコントロールユニットを更に備え、コントロールパネルはハンドル１１０に設置され、コントロールパネルには入力装置が設置され、コントロールパネルはコントロールユニットに接続され、入力装置によりコントロールユニットを経由して集塵機の吸収力或いは蒸気集塵機の空気量が制御される。入力装置はボタンであり、ボタンを制御することで集塵機の吸収力或いは蒸気集塵機の空気量を増減させることができる。入力装置は回転ボタンでもよく、時計回り或いは反時計回りに回転ボタンを回転させることで集塵機の吸収力或いは蒸気集塵機の空気量を増減させることができる。
【００２７】
以上、本発明の実施形態について図面を参照して詳述したが、具体的な構成はこの実施形態に限られるものではなく、本発明の要旨を逸脱しない範囲の設計変更等も含まれる。
【符号の説明】
【００２８】
１００  組立式モップ
１１０  ハンドル
１２０  モップラック
１２１  集塵用チャンネル
１２２  蒸気洗浄用チャンネル
１３０  モップヘッド
１４０  集塵機
１４１  集塵口
１４２  集塵機固定孔
１４３  集塵機本体
１４４  集塵機ハンドル
１５０  蒸気集塵機
１５１  蒸気出口
１５２  蒸気集塵機固定孔
１５３  蒸気集塵機ハンドル
１５４  蒸気集塵機本体
【図１】
2017164420.tif 000003
【図２】
2017164420.tif 000004
【図３】
2017164420.tif 000005
【図４】
2017164420.tif 000006
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
モップラックと、ハンドルと、モップヘッドと、集塵機と、蒸気集塵機とを備え、前記集塵機及び前記蒸気集塵機は電源にそれぞれ接続され、前記集塵機及び前記蒸気集塵機は前記モップラックにそれぞれ取り外し可能に装設され、前記モップラックにはチャンネルが開設され、
前記チャンネルは集塵用チャンネル及び蒸気洗浄用チャンネルを備え、前記チャンネルは前記モップヘッドの方向に向けて延伸され、且つ前記モップヘッドの一端には対応する孔部が形成され、前記集塵用チャンネルは前記集塵機への連通に用いられ、前記蒸気洗浄用チャンネルは前記蒸気集塵機への連通に用いられることを特徴とする、組立式モップ。
【請求項２】
前記集塵機及び前記蒸気集塵機には前記蒸気洗浄用チャンネル及び前記集塵用チャンネルに適合する集塵機固定孔及び蒸気集塵機固定孔がそれぞれ設置されることを特徴とする、請求項１に記載の組立式モップ。
【請求項３】
前記集塵機は集塵機本体を備え、前記集塵機に接続される電源は電池セットであり、前記電池セットにより前記集塵機本体に対する給電が行われ、前記集塵機本体には集塵口が設置され、前記集塵口は前記チャンネルに連通されることを特徴とする、請求項１に記載の組立式モップ。
【請求項４】
前記蒸気集塵機は蒸気出口が設置される蒸気集塵機本体を備え、前記蒸気出口は前記チャンネルに連通されることを特徴とする、請求項１に記載の組立式モップ。
【請求項５】
前記集塵機及び前記蒸気集塵機には集塵機ハンドル及び蒸気集塵機ハンドルがそれぞれ設置されることを特徴とする、請求項１に記載の組立式モップ。
【請求項６】
前記モップヘッドは扁平状であり、前記モップヘッドには前記モップラックの下端に連結される回転接合部が設置されることを特徴とする、請求項１に記載の組立式モップ。
【請求項７】
前記モップラックには電気的接続口が設置され、前記電気的接続口は前記集塵機或いは蒸気集塵機に電気的に接続され、前記ハンドルには電源と前記集塵機或いは蒸気集塵機との断絶及び閉合の制御に用いられる開閉ボタンが設置されることを特徴とする、請求項１に記載の組立式モップ。
【請求項８】
コントロールパネル及びコントロールユニットを更に備え、前記コントロールパネルは前記ハンドルに設置され、前記コントロールパネルには入力装置が設置され、前記コントロールパネルは前記コントロールユニットに接続され、前記入力装置により前記コントロールユニットを経由して前記集塵機の吸収力或いは蒸気集塵機の空気量が制御されることを特徴とする、請求項７に記載の組立式モップ。
【手続補正２】
【補正対象書類名】明細書
【補正対象項目名】００２１
【補正方法】変更
【補正の内容】
【００２１】
図２は図１に示すＡ部分を示す拡大図である。本実施形態において、チャンネルは集塵用チャンネル１２１及び蒸気洗浄用チャンネル１２２を備える。集塵用チャンネル１２１は集塵機１４０及びモップヘッド１３０に連通され、蒸気洗浄用チャンネル１２２は蒸気集塵機１５０及びモップヘッド１３０に連通される。当然ながら、チャンネルは集塵機１４０及び蒸気集塵機１５０に均しく連結される共通の１つのチャンネルのみを備えてもよい。